(57)【要約】      （修正有）【課題】既存のブラジャーの構成部材を変えることなく、人に見せることができるファッショ性の高いブラジャーの提供。【解決手段】バストカップ部１Ｒ，１Ｌと、バックパネル部２Ｒ，２Ｌと、ショルダーストラップ部３Ｒ、３Ｌとを備えるブラジャーＢにおいて、一端部をバストカップ部１Ｒ，１Ｌの前側に連結し、かつ他端部をショルダーストラップ部３Ｒ，３Ｌの後側に連結するとともに、着用時において肩部から腕部にかけて覆うように掛けられる左右一対の装飾用袖部材４Ｒ，４Ｌが設けられている。【選択図】図１
0003133268.tif 000002
【実用新案登録請求の範囲】
【請求項１】
左右一対のバストカップ部と、
該バストカップ部の両側に連結し背部に延びる左右一対のバックパネル部と、
一端部を前記バストカップ部の上側に連結し、かつ他端部を前記バックパネル部に連結して肩部に掛けられる左右一対のショルダーストラップ部とを備えるブラジャーであって、
一端部を前記バストカップ部または前記ショルダーストラップ部の前側に連結し、かつ他端部を前記バックパネル部または前記ショルダーストラップ部の後側に連結するとともに、着用時において肩部から腕部にかけて覆うように掛けられる左右一対の装飾用袖部材が設けられていることを特徴とするブラジャー。
【請求項２】
前記装飾用袖部材は、一端部を前記バストカップ部または前記ショルダーストラップ部の前側に連結し、かつ他端部を前記バックパネル部または前記ショルダーストラップ部の後側に連結する帯部と、該帯部から平面状に伸びる布部とからなる請求項１に記載のブラジャー。
【請求項３】
前記帯部は長さ方向に伸縮可能な弾性部材からなるものである請求項２に記載のブラジャー。
【請求項４】
前記布部はレースの模様が施されている請求項２または請求項３に記載のブラジャー。
【請求項５】
前記帯部の両側部に引掛部材が設けられるとともに、前記バストカップ部またはショルダーストラップ部の前側の対応位置と、前記バックパネル部または前記ショルダーストラップ部の後側の対応位置とにおいて環状部材が設けられ、帯部の引掛部材が対応する環状部材に引っ掛けられることにより装飾部材が脱着可能な状態で設けられる請求項２ないし請求項４のいずれかに記載のブラジャー。  
【考案の詳細な説明】
【技術分野】
【０００１】
本考案は、ファッション性を向上させることができるブラジャーに関する。
【背景技術】
【０００２】
一般に、ブラジャーは、左右一対のバストカップ部と、該バストカップ部の両側に連結し背部に延びる左右一対のバックパネル部と、一端部を前記バストカップ部の上側に連結し、かつ他端部を前記バックパネル部に連結して肩部に掛けられる左右一対のショルダーストラップ部とからなる。
【０００３】
そして、近年、ブラジャーの構造、機能、あるいはデザインにおいて各社ともに様々に工夫されたものが知られている。最近では、特に若者の間でブラジャーのショルダーストラップ部を人に見られてもよいように装飾を施したものや、透明にしたもの、あるいはビーズ状の部材で構成したものなど、デザイン性において工夫されたものが知られている。
【考案の開示】
【考案が解決しようとする課題】
【０００４】
本出願人は、このような近年のブラジャーのファッション性の傾向に着目し、既存のブラジャーの構成部材を変えることなく、人に見せることができるファッショ性の高いブラジャーの提供を課題とする。
【課題を解決するための手段】
【０００５】
本考案は、上記課題を解決するために、左右一対のバストカップ部と、該バストカップ部の両側に連結し背部に延びる左右一対のバックパネル部と、一端部を前記バストカップ部の上側に連結し、かつ他端部を前記バックパネル部に連結して肩部に掛けられる左右一対のショルダーストラップ部とを備えるブラジャーであって、一端部を前記バストカップ部または前記ショルダーストラップ部の前側に連結し、かつ他端部を前記バックパネル部または前記ショルダーストラップ部の後側に連結するとともに、着用時において肩部から腕部にかけて覆うように掛けられる装飾用袖部材が設けられていることを特徴とする。
【０００６】
これによれば本ブラジャーを着用した場合、装飾用部材が肩から腕にかけて覆うように設けられるため、本ブラジャーの上からノースリーブなどの袖なしあるいは袖が短い衣服を着ると、袖口から装飾用部材が外部から視認可能な状態で露出することなり、衣服の一部と同じようにファッション性を向上させることができる。
【０００７】
また、前記装飾用袖部材は、一端部を前記バストカップ部または前記ショルダーストラップ部の前側に連結し、かつ他端部を前記バックパネル部または前記ショルダーストラップ部の後側に連結する帯部と、該帯部から平面状に伸びる布部とからなるのが好ましい。これによれば装飾用部材の構成が簡易なものとなるため、製造コストを低減できる上に、効率よくファッション性を向上させることができる。
【０００８】
また、前記帯部は長さ方向に伸縮可能な弾性部材からなるものであるのが好ましい。これによれば帯部が各人の肩部の大きさに応じて伸縮するため、装飾用部材を肩部により一層フィットさせることができる。
【０００９】
また、前記布部はレースの模様が施されているのが好ましい。これによればより一層ファッション性を向上することができる。
【００１０】
また、前記帯部の両側部に引掛部材が設けられるとともに、前記バストカップ部またはショルダーストラップ部の前側の対応位置と、前記バックパネル部または前記ショルダーストラップ部の後側の対応位置とにおいて環状部材が設けられ、帯部の引掛部材が対応する環状部材に引っ掛けられることにより装飾用部材が脱着可能な状態で設けられるのが好ましい。これによれば、ある時は装飾用部材をブラジャーに着けて着用し、またある時は装飾用部材を外して通常のブラジャーとして着用するというように、その時々の気分や状況に応じてブラジャーの状態を簡単に適宜変更することができる。
【考案の効果】
【００１１】
本考案によれば本ブラジャーを着用した場合、装飾用部材が肩から腕にかけて覆うように設けられるため、本ブラジャーの上からノースリーブなどの袖なしあるいは袖が短い衣服を着ると、袖口から装飾用部材が外部から視認可能な状態で露出することなり、衣服の一部と同じようにファッション性を向上させることができる。
【考案を実施するための最良の形態】
【００１２】
次に本考案に係る一実施形態について図面を参照しつつ説明する。
【００１３】
図１は、本実施形態に係るブラジャー（Ｂ）の斜視図、図２はブラジャー（Ｂ）の分解斜視図、図３はブラジャー（Ｂ）と装飾用部材の連結部分を示す拡大図、図４はブラジャー（Ｂ）を着用した状態を示す正面図である。
【００１４】
このブラジャー（Ｂ）は、図１および図２に示すように、左右一対のバストカップ部（１Ｒ）（１Ｌ）と、左右一対のバックスパネル部（２Ｒ）（２Ｌ）と、左右一対のショルダーストラップ部（３Ｒ）（３Ｌ）とを備えてなる。
【００１５】
前記バストカップ部（１Ｒ）（１Ｌ）は、それぞれ上カップ部と下カップ部を立体的に縫合することにより前方に突出した湾曲形状に成形されている。またバストカップ部は互いの内側縁部分が縫合されており、これらの下側縁部分には左右方向に伸びる細幅のアンダーパネル（１１）の上縁部分が縫合されている。
【００１６】
前記バックパネル部（２Ｒ）（２Ｌ）は、それぞれ前側縁部が前記バストカップ部（１Ｒ）（１Ｌ）に連結し背部に延びるように設けられ、前側から後側にかけて幅が漸減している。また後側縁部にはバックスパネル部（２Ｒ）（２Ｌ）同士を連結するためのフック部材（２１）（２２）が設けられており、着用時において後側でフック部材（２１）（２２）を相互に連結することによりブラジャー（Ｂ）を胸囲方向に固定するようになっている。なお、後側縁部は二重の布で構成されており、人の胸囲によりブラジャー（Ｂ）の胸囲方向にテンションがかかっても破れたりしないようになっている。
【００１７】
前記ショルダーストラップ部（３Ｒ）（３Ｌ）は、長さ方向に伸縮可能な帯状の弾性部材からなり、一端部を前記バストカップ部（１Ｒ）（１Ｌ）の上側に連結し、かつ他端部を前記バックパネル部（２Ｒ）（２Ｌ）に連結している。このため着用時において弾性体の伸縮力により肩部にフィットさせながら掛けられ、ブラジャー（Ｂ）を上下方向にずれにくいように固定するようになっている。
【００１８】
なお、ショルダーストラップ部（３Ｒ）（３Ｌ）の両端部には、図３に示すように、フック部材（１０１）が設けられるとともに、バストカップ部（１Ｒ）（１Ｌ）とバックパネル部（２Ｒ）（２Ｌ）の対応位置には環状部材（１０２）が設けられており、フック部材（１０１）を環状部材（１０２）に脱着可能な状態で連結されている
【００１９】
これらバストカップ部（１Ｒ）（１Ｌ）、バックパネル部（２Ｒ）（２Ｌ）およびショルダーストラップ部（３Ｒ）（３Ｌ）はいずれも従来のブラジャー（Ｂ）の構成要素と同一のものであり、それぞれ形状、大きさあるいは材質を種々に設計変更可能なものである。
【００２０】
前記ブラジャー（Ｂ）には着用時において肩部から腕部に覆うように掛けられる左右一対の装飾用袖部材（４Ｒ）（４Ｌ）が設けられている。
【００２１】
この装飾用部材（４Ｒ）（４Ｌ）は、図１〜図４に示すように、幅が一定の細長い帯部（４１）と、該帯部（２１）に設けられた布部（４２）とから構成される。
【００２２】
前記帯部（４１）は、長さ方向に伸縮可能な弾性部材（例えばポリウレタンなど）から構成され、一端部を前記バストカップ部（１Ｒ）（１Ｌ）の前側に連結し、かつ他端部を前記ショルダーストラップ部（１Ｒ）（１Ｌ）の後側に連結するものとなされている。
【００２３】
前記布部（４２）は、前記帯部（４１）において肩部から腕部にかけて延びる態様の略扇形状に形成され、レースの模様が施されている。
【００２４】
特に本実施形態では、前記帯部（４１）の両側部に引掛部材（２０１）（２０１）が設けられるとともに、前記バストカップ部（１Ｒ）（１Ｌ）の前側の対応位置と、前記ショルダーストラップ部（３Ｒ）（３Ｌ）の後側の対応位置には環状部材（２０２）がそれぞれ設けられ、帯部（４１）の引掛部材（２０１）が対応する環状部材（２０２）に引っ掛けられ、装飾用部材（４Ｒ）（４Ｌ）が脱着可能な状態で設けられる。
【００２５】
而して、本ブラジャー（Ｂ）の着用時おいては、ショルダーストラップ部（３Ｒ）（３Ｌ）と装飾用部材（４Ｒ）（４Ｌ）を両肩に掛けた上で、バストカップ部（１Ｒ）（１Ｌ）を乳房に当てつつバックパネル部（２Ｒ）（２Ｌ）を背部に回して、バックパネル部（２Ｒ）（２Ｌ）をフック部材（２１）（２２）を介して相互に連結する。
【００２６】
そして、バストカップ部（１Ｒ）（１Ｌ）、バックパネル部（２Ｒ）（２Ｌ）、ショルダーストラップ部（３Ｒ）（３Ｌ）を適宜好適な位置に微調整し、それと同時にまたはその後に装飾用部材（４Ｒ）（４Ｌ）を肩部から腕部にかけて覆うように調整する。
【００２７】
そして、本ブラジャー（Ｂ）の上からノースリーブなどの袖なしあるいは袖が短い衣服を着ると、袖口から装飾用部材（４Ｒ）（４Ｌ）が外部から視認可能な状態で露出することなり、衣服の一部と同じようにファッション性を向上させることができる。
【００２８】
なお、本実施形態では装飾用袖部材（４Ｒ）（４Ｌ）の両端部をバストカップ部（１Ｒ）（１Ｌ）とショルダーストラップ部（３Ｒ）（３Ｌ）に連結するものとしたが、装飾用袖部材（４Ｒ）（４Ｌ）の前側端部をショルダーストラップ部（３Ｒ）（３Ｌ）の前側に連結したり、また装飾用袖部材（４Ｒ）（４Ｌ）の後側端部をバックパネル部（２Ｒ）（２Ｌ）に連結したりしてもよい。
【００２９】
また、装飾用袖部材（４Ｒ）（４Ｌ）の形状、模様、大きさは上述のものに限定されるものではなく、種々に設計変更可能である。
【図面の簡単な説明】
【００３０】
【図１】本実施形態に係るブラジャーの斜視図である。
【図２】ブラジャーの分解斜視図である。
【図３】ブラジャーと装飾用部材の連結部分を示す拡大図である。
【図４】ブラジャーを着用した状態を示す正面図である。
【符号の説明】
【００３１】
１Ｒ，１Ｌ・・・バストカップ部
２Ｒ，２Ｌ・・・バックパネル部
３Ｒ，３Ｌ・・・ショルダーストラップ部
４Ｒ，４Ｌ・・・装飾用袖部材
【図１】
0003133268.tif 000003
【図２】
0003133268.tif 000004
【図３】
0003133268.tif 000005
【図４】
0003133268.tif 000006